(57)【要約】リードの近傍の組織に関する、測定されたアーチファクトデータを用いることによってリード移動を検出するための装置および方法。【選択図】図１
2008534168.tif 000002
【特許請求の範囲】
【請求項１】
神経刺激リードが移動したかどうかを決める方法であって、
該神経刺激リード上の電極近傍の組織のインピーダンスを測定して、基礎インピーダンス値を定めるステップと；
後続時点において該電極の近傍の組織のインピーダンスを測定して、後続インピーダンス値を定めるステップと、
前記後続インピーダンス値を前記基礎インピーダンス値と比較することによって、前記神経刺激リードが移動したかどうかを決定するステップと、
を具えることを特徴とする方法。
【請求項２】
前記神経刺激リードが複数の電極を含み；
前記組織のインピーダンスを測定して基礎インピーダンス値を定めるステップが、前記複数電極近傍の組織のインピーダンスを測定して、それぞれの基礎インピーダンス値を定めるステップを具え；
前記組織のインピーダンスを測定して後続インピーダンス値を定めるステップが、ある後続時点において前記複数の電極のそれぞれの近傍の組織のインピーダンスを測定して、それぞれの後続インピーダンス値を定めるステップを具え、
前記神経刺激リードが移動したかどうかを決定するステップが、前記後続インピーダンス値を前記基礎インピーダンス値と比較するステップを具えることを特徴とする請求項１に記載の方法。
【請求項３】
前記神経刺激リードが移動したかどうかを決定するステップが、移動の方向および大きさを決定するステップをさらに具えることを特徴とする請求項２に記載の方法。
【請求項４】
前記移動の方向および大きさを決定するステップが、特徴比較分析を実行するステップを具えることを特徴とする請求項３に記載の方法。
【請求項５】
前記電極近傍の組織のインピーダンスを測定するステップが、埋設可能なパルス発生器において電流を組織の中に供給し、かつ、該電流を該電極において吸い込むステップを具えることを特徴とする請求項１に記載の方法。
【請求項６】
前記電極近傍の組織のインピーダンスを測定するステップが、前記埋設可能なパルス発生器によって電極に供給される治療パルスの合間に、該埋設可能なパルス発生器において電流を組織の中に供給し、かつ、該電流を該電極において吸い込むステップを具えることを特徴とする請求項１に記載の方法。
【請求項７】
前記神経刺激リードが移動したとの決定に応じて補正活動を取るステップをさらに具えることを特徴とする請求項１に記載の方法。
【請求項８】
前記補正活動を取るステップが、前記神経刺激リードが移動したとの決定に応じて治療処方のプログラムを改定するステップを具えることを特徴とする請求項７に記載の方法。
【請求項９】
少なくとも一つの電極を含む埋設可能なリードと共に使用される神経刺激システムであって、
リードコネクターを含むパルス発生器と；
該リードコネクターに動作可能に接続され、少なくとも一つのリード電極の近傍の組織のインピーダンスを測定して、基礎インピーダンス値を定め、かつ、後続のある時点において、前記少なくとも一つのリード電極の近傍の組織のインピーダンスを測定して、後続インピーダンス値を定める回路と；
前記後続インピーダンス値を前記基礎インピーダンス値と比較することによって、前記埋設可能なリードが移動したかどうかを決定する回路と、
を具えることを特徴とする神経刺激システム。
【請求項１０】
前記少なくとも一つのリード電極が複数のリード電極を具え；
前記測定する回路が、前記複数のリード電極の近傍の組織のインピーダンスを測定して、それぞれの基礎インピーダンス値を定め、かつ、後続のある時点において、前記複数のリード電極それぞれの近傍の組織のインピーダンスを測定して、後続インピーダンス値を定める回路を具え；
前記決定する回路が、前記後続インピーダンス値を前記基礎インピーダンス値と比較することによって、前記埋設可能なリードが移動したかどうかを決定するための回路を具えることを特徴とする請求項９に記載の神経刺激システム。
【請求項１１】
前記決定する回路が、移動の方向および大きさを決定する回路を具えることを特徴とする請求項９に記載の神経刺激システム。
【請求項１２】
パルス発生器と連結する電極をさらに具えており；
前記測定する回路が、前記パルス発生器と連結する電極において電流を組織に供給させ、前記少なくとも一つのリード電極において該電流を吸い込ませるための回路を具えることを特徴とする請求項９に記載の神経刺激システム。
【請求項１３】
前記パルス発生器と連結する電極がパルス発生器ケースを具えることを特徴とする請求項１２に記載の神経刺激システム。
【請求項１４】
前記パルス発生器が、埋設可能パルス発生器を具え、前記決定する回路が、前記埋設可能パルス発生器の中に配置されることを特徴とする請求項９に記載の神経刺激システム。
【請求項１５】
前記埋設可能なパルス発生器と通信する少なくとも一つの外部装置をさらに具え；
前記決定する回路が、前記少なくとも一つの外部装置の中に配置されることを特徴とする請求項９に記載の神経刺激システム。
【請求項１６】
プログラムされた治療処方に従って治療パルスを供給し、前記埋設可能なリードが移動したという決定に応じて該プログラムされた治療処方を調整するための回路をさらに具えることを特徴とする請求項９に記載の神経刺激システム。
【請求項１７】
前記少なくとも一つの電極が複数のリード電極を具え、
該複数のリード電極の内のどれが、前記埋設可能なリードが移動したという決定に応じて治療パルスを受容するのかを調整するための回路をさらに具えることを特徴とする請求項１６に記載の神経刺激システム。
【請求項１８】
第１および第２神経刺激リードの相対的位置を決定する方法であって、
前記第１神経刺激リードと、前記第１および第２神経刺激リードに対し隔たった場所に配置される電極との間の組織のインピーダンスを測定するステップと；
前記第２神経刺激リードと、前記第１および第２神経刺激リードに対し隔たった場所に配置される電極との間の組織のインピーダンスを測定するステップと；
該インピーダンス測定値同士を比較するステップと、
を具えることを特徴とする方法。
【請求項１９】
前記第１神経刺激リードと電極との間の組織のインピーダンスを測定するステップが、前記第１神経刺激リードと、前記第１および第２神経刺激リードに対し隔たった場所に配置される埋設可能なパルス発生器と連結する電極との間の組織インピーダンスを測定するステップと；
前記第２神経刺激リードと該電極との間の組織のインピーダンスを測定するステップが、前記第２神経刺激リードと、前記第１および第２神経刺激リードに対し隔たった場所に配置される埋設可能なパルス発生器と連結する電極との間の組織インピーダンスを測定するステップとを具えることを特徴とする請求項１８に記載の方法。
【請求項２０】
前記第１神経刺激リードと電極との間の組織のインピーダンスを測定するステップが、前記第１神経刺激リードにおける複数の電極と、前記第１および第２神経刺激リードに対し隔たった場所に配置される電極との間の組織インピーダンスを個別に測定するステップを具え；
前記第２神経刺激リードと該電極との間の組織のインピーダンスを測定するステップが、前記第２神経刺激リードと、前記第１および第２神経刺激リードに対し隔たった場所に配置される電極との間の組織インピーダンスを個別に測定するステップを具えることを特徴とする請求項１８に記載の方法。
【請求項２１】
インピーダンス測定値同士を比較するステップが、前記第１神経刺激リードにおける複数の電極と、前記第１および第２神経刺激リードに対し隔たった場所に配置される電極との間のインピーダンスの平均値を、前記第２神経刺激リードにおける複数の電極と、前記第１および第２神経刺激リードに対し隔たった場所に配置される電極との間のインピーダンスの平均値と比較するステップを具えることを特徴とする請求項２０に記載の方法。
【請求項２２】
少なくとも一つの電極を有する神経刺激リードの位置を監視する方法であって、
組織に対し、前記神経刺激リードの第１電極によって刺激パルスを供給することによって基礎誘発電位測定値を採取し、かつ、刺激によって生じた誘発電位を第２電極で測定するステップと；
後続のある時点で、組織に対し、前記第１電極によって刺激パルスを供給することによって後続誘発電位測定値を採取し、かつ、刺激によって生じた誘発電位を前記第２電極で測定するステップと；
前記後続誘発電位測定値を前記基礎誘発電位測定値と比較することによって、前記神経刺激リードが移動したかどうかを決定するステップとを具えることを特徴とする方法。
【請求項２３】
前記基礎誘発電位測定値を採取するステップが、組織に対し、前記神経刺激リードの第１電極によって刺激パルスを供給し、かつ、刺激によって生じた誘発電位を第２および第３電極において測定するステップを具え；
前記後続誘発電位測定値を採取するステップが、後続のある時点で、組織に対し、前記第１電極によって刺激パルスを供給し、かつ、刺激によって生じた誘発電位を前記第２および第３電極で測定するステップを具え；
前記神経刺激リードが移動したかどうかを決定するステップが、前記第２および第３電極における前記後続誘発電位測定値を、前記第２および第３電極における前記基礎誘発電位測定値と比較するステップを具えることを特徴とする請求項２２に記載の方法。
【請求項２４】
前記神経刺激リードが移動したという決定に応じて、前記神経刺激リードにおいて、前記基礎誘発電位測定値を与える、もう一組の電極があるかどうかを決定するステップをさらに具えることを特徴とする請求項２２に記載の方法。
【請求項２５】
前記神経刺激リードが移動したとの決定に応じて補正活動を取るステップをさらに具えることを特徴とする請求項２２に記載の方法。
【請求項２６】
前記補正活動を取るステップが、前記神経刺激リードが移動したとの決定に応じて治療処方のプログラムを改定するステップを具えることを特徴とする請求項２５に記載の方法。
【請求項２７】
前記第１および第２電極が同じ電極を具えることを特徴とする請求項２２に記載の方法。
【請求項２８】
前記第２電極が前記神経刺激リードの上にあることを特徴とする請求項２２に記載の方法。
【請求項２９】
前記第２電極が、第２神経刺激リードの上にあることを特徴とする請求項２２に記載の方法。
【請求項３０】
少なくとも一つの電極を含む埋設可能なリードと共に使用される神経刺激システムであって、
リードコネクターを含むパルス発生器と；
該リードコネクターに動作可能に接続され、前記埋設可能なリード上の第１電極、および第２電極によって基礎誘発電位を採取し、かつ、前記第１および第２電極と関連する後続誘発電位測定値を採取する回路と；
前記後続誘発電位測定値を前記基礎誘発電位測定値と比較することによって、前記埋設可能なリードが移動したかどうかを決定する回路と、
を具えることを特徴とする神経刺激システム。
【請求項３１】
前記基礎誘発電位測定値を採取する回路が、前記埋設可能なリード上の第１電極、および第３電極と関連する基礎誘発電位測定値を採取し、かつ、前記第１および第３電極と関連する後続誘発電位を採取する回路を具え；
前記決定する回路が、前記第１および第３電極と関連する前記後続誘発電位測定値を、前記第１および第３電極と関連する前記基礎誘発電位測定値と比較することによって、前記埋設可能リードが移動したかどうかを決定する回路をさらに具えることを特徴とする請求項３０に記載の神経刺激システム。
【請求項３２】
前記決定する回路が、前記埋設可能なリードが移動したという決定に応じて、前記第１および第２電極と関連する前記基礎誘発電位測定値を生成する、もう一組の電極があるかどうかを決定する回路を具えることを特徴とする請求項３０に記載の神経刺激システム。
【請求項３３】
前記第１および第２電極が同じ電極を具えることを特徴とする請求項３０に記載の神経刺激システム。
【請求項３４】
前記第２電極が前記埋設可能なリードの上にあることを特徴とする請求項３０に記載の神経刺激システム。
【請求項３５】
前記第２電極が、第２の埋設可能なリードの上にあることを特徴とする請求項３０に記載の神経刺激システム。
【請求項３６】
プログラム化された治療処方に従って治療パルスを供給する回路と；
前記埋設可能なリードが移動したという決定に応じて前記プログラム化された治療処方を調整する回路とをさらに具えることを特徴とする請求項３０に記載の神経刺激システム。
【請求項３７】
前記パルス発生器と通信する少なくとも一つの通信装置をさらに具え；
前記調整する回路が、前記少なくとも一つの通信装置の中に配置され；
前記調整する回路が、前記埋設可能なリードが移動したという決定に応じて、複数の電極の内のどれが治療パルスを受容するかを調整する回路を含むことを特徴とする請求項３６に記載の神経刺激システム。
【請求項３８】
前記調整する回路が、前記パルス発生器の中に配置されることを特徴とする請求項３７に記載の神経刺激システム。
【請求項３９】
個別の埋設された神経刺激リードを監視する方法であって、
前記個別の神経刺激リードおよび埋設可能なパルス発生器のみを用いて前記個別の神経刺激リードの近傍の組織に関する基礎アーチファクトデータを測定するステップと；
後続のある時点において、前記個別の神経刺激リードおよび前記埋設可能なパルス発生器のみを用いて、前記個別の神経刺激リードの近傍の組織に関する、後続アーチファクトデータを測定するステップと；
前記基礎アーチファクトデータを前記後続アーチファクトデータと比較することによって、前記個別の神経刺激リードが基礎位置から移動したかどうかを決定するステップと、
を具えることを特徴とする方法。
【請求項４０】
前記アーチファクトデータが組織インピーダンスデータを具えることを特徴とする請求項３９に記載の方法。
【請求項４１】
前記アーチファクトデータが誘発電位データを具えることを特徴とする請求項３９に記載の方法。
【請求項４２】
前記個別の神経刺激リードが移動したとの決定に応じて補正活動を取るステップをさらに具えることを特徴とする請求項３９に記載の方法。
【請求項４３】
前記補正活動を取るステップが、前記個別の神経刺激リードが移動したとの決定に応じて治療処方のプログラムを改定するステップを具えることを特徴とする請求項４２に記載の方法。
【発明の詳細な説明】
【技術分野】
【０００１】
本発明は一般に神経刺激システムに関する。
【０００２】
発明の背景
神経刺激システム、例えば、脊髄刺激（ＳＣＳ）システム、深部脳刺激システム、および皮下刺激システムは、刺激標的となる神経要素の近傍に配される電極を含む。この電極は、担体に取り付けられるが、多くの場合、複数の電極が一つの担体に取り付けられる。これらの担体／電極装置は、時に「リード」と呼ばれる。電極の適切な設置は、神経刺激療法の成功にとって鍵となる決定的に重要なものであるから、外科医は、一つ以上のリードを、電極が標的神経要素に隣接するように注意深く設置する。隣接リードの間には通常１から５ｍｍの間隔がある。
【０００３】
電極が標的神経要素を刺激することを確かめるため、設置過程の際および設置後に刺激エネルギーが電極に出力される。刺激エネルギーはまた、もっとも効果的な刺激パターン（または過程）を処方するためにもこの時点で電極に出力される。パターンは、任意の時点において、電極のどちらが、供給または復帰電流パルスであるかのみならず、電流パルスの大きさおよび持続をも指定する。刺激パターンは通常、治療効果（例えば、鎮痛）を挙げるために刺激しなければならない標的組織の全てに対し刺激エネルギーを供給はするものの、刺激される非標的組織の容量を最小とするものである。従って、刺激パターンは、電極を通じて印加される電気刺激によって実現される、所望の「感覚異常」、すなわち、ピリピリ感を達成するのに、リードに繋がる電極全部より少ない数の電極しか必要としないという了解の下に、神経刺激リードは埋設される。
【０００４】
従来から多種多様なリードが紹介されている。一つの一般的なタイプの神経刺激リードは、「インライン」リードである。これは、直径小な担体に複数の互いに隔てられた電極を含む。インラインリードは、比較的設置が容易である。なぜなら、それらは、患者が目覚めていて、応答を返すことができる状態で、小さな局所麻酔された切開口の中の経皮針を通じて脊柱管に挿入することが可能だからである。インラインリードはまた、比較的簡単に取り出すことができる点でも有利である。インラインリードの欠点の一つは、それらが、時間の経過と共に、または、急激な屈曲性運動の結果として硬膜外空間において移動しがちとなることである。
【０００５】
リード移動は、標的神経要素がもはや適切に刺激されなくなり、患者がもはや十分な治療効果を享受することができなくなる原因となることがある。しかしながら、以前には効果的であった神経刺激過程の治療効果が減退し、あるいは単純に消滅するのは、リード移動が唯一の原因なのではない。このことは、診断を難しくする場合がある。さらに、医師が、リード移動が実際に起こったとし、電極の新規位置に対応するようにシステムのプログラムをやり直さなければならないと判断したとしても、従来の神経刺激システムでは、個々のリードの動きに関する情報、例えば、リードが、下部組織に対してどの程度遠ざかったかのような情報が医師に提供されることはない。このためプログラミングの改定が特に困難になる。なぜなら、現在標的神経要素と軸が合っているのはリード電極のどれで、合っていないのはどれかを特定するには、試行錯誤と患者の応答に頼るしかないからである。
【０００６】
また、本発明の発明者らは、埋設時のみならずその後の時点において、２本以上の神経刺激リードの相対位置を検出するための従来法が改善を要するものであると判断した。
【０００７】
発明の開示
本発明の一つによる装置および方法は、埋設リード、例えば、神経刺激リードの移動に関する情報を得るために、該リードの近傍の組織に関するアーチファクトデータを測定する。このアーチファクトデータは、組織インピーダンスデータおよび生理的に誘発される電位データを含む。通常、基礎的アーチファクトデータは、システムが所望の治療効果を発揮し、その後、後続アーチファクトデータが測定される場合に、測定される。この基礎アーチファクトデータからの変動を用いてリードが移動したことを示す。
【０００８】
このような装置および方法は、様々な理由によって有利である。例えば、この装置および方法は、神経刺激システムの、ある一つの特定のリード（または、複数のリード）が移動したことを表す信頼度の高い表示を与える。本発明はまた、移動に関する具体的な情報、例えば、下部組織に対する、相対的移動の大きさおよび方向に関する情報を提供する。これによって、システムのプログラミング改変に伴う困難が緩和される。
【０００９】
本発明の一つによる装置および方法は、各神経刺激リードと、神経刺激リード群に対して隔てられて配置される電極との間の組織のインピーダンスを測定することによって、神経刺激リード同士の相対的位置を決定する。測定値同士は互いに比較されて、神経刺激リード群の内のあるものが、別のあるものよりも、該電極からより遠ざかっているかどうかが決められる。
【００１０】
このような装置および方法は、種々の理由によって便利である。例えば、この装置および方法は、埋設後のプログラミング過程において、複数のリードを互いに区別する都合のよい方法を提供する。
【００１１】
本発明の、前述の特徴、およびその他の多くの特徴は、下記の詳細な説明を付属の図面とつき合わせて参照することによって本発明がよりよく理解されるにつれて、明白となろう。
【００１２】
発明を実施するための最良の形態
本発明の例示の実施態様の詳細な説明を付属の図面を参照しながら行う。
下記は、本発明を実施するための、現在知られるもっとも優れた方式の詳細な説明である。本説明は、限定的意味として捉えてはならず、単に本発明の一般的原理を例示するためになされるものである。本詳細な説明は、下記のように構成される。すなわち、
Ｉ．例示の神経刺激システム
ＩＩ．例示のリード移動検出
ＩＩＩ．例示の補正策
本詳細な説明の章節タイトルおよび全体構成は、ただ便宜のために設けられたもので、本発明を限定することを意図するものではない。
【００１３】
Ｉ．例示の神経刺激システム
本発明は、広く各種神経刺激システムに適用される。本発明は下記の例に限定されるものではないが、そのようなシステムの例が図１ー５に例示される。先ず、図１および１Ａを参照すると、例示の埋設可能な神経刺激システム１００は、第１および第２埋設可能リード１０２および１０４を含む。例示のリード１０２および１０４はインラインリードであり、そのため、該リードは両方とも、屈曲性本体１０８の上に担持される複数のインライン電極１０６から成る。図示の実施態様では、リード１０２の上に８個の電極があり、それらはＥ１−Ｅ８と表示され、リード１０４の上に８個の電極があり、それらはＥ９−Ｅ１６と表示される。もちろんリードおよび電極の実際の数は意図する用途に従って変動するが、本発明は、いずれの特定の数のリードおよび電極にも限定されない。リード１０２および１０４は、挿入針を用いて、またはその他の好適な技術を用いて、所望の場所、例えば、患者の脊髄の近傍に埋設されてよい。一旦所定の場所に埋設されたならば、電極１０６は、標的神経要素、またはその他の標的組織に対して刺激エネルギーを供給するために使用されてよい。
【００１４】
図１および１Ａに描かれる例示の神経刺激システム１００はさらに、電極１０６のそれぞれに対し組織刺激エネルギーを向けることが可能な、埋設可能なパルス発生器（ＩＰＧ）１１０を含む。そのために、リード１０２の上の各電極１０６は、連結される屈曲性本体１０８を貫通する、または埋設される、それぞれの信号ワイヤー１１２（その内のいくつかは図示されない）によってＩＰＧ１１０に電気的に接続される。同様に、リード１０４の上の電極１０６は、それぞれの信号ワイヤー１１４（その内のいくつかは図示されない）によってＩＰＧ１１０に電気的に接続される。信号ワイヤー１１２および１１４は、インターフェイス１１５を介してＩＰＧ１１０に接続される。インターフェイス１１５は、リード１０２および１０４が、ＩＰＧ１１０に対し、取り外し可能なやり方で、または恒久的に電気的に接続されることを可能にするものであれば任意の適当な装置であってもよい。このようなインターフェイスは、例えば、電気機械的コネクター配列であって、リード１０２および１０４の上の、対応するコネクター（コネクター１１９aのみが図示される）と嵌合するように構成される、ＩＰＧ１１０内のリードコネクター１１７aおよび１１７ｂを含むコネクター配列であってもよい。それとは別に、リード１０２と１０４は、ＩＰＧにおける対応するコネクターと嵌合する単一コネクターを共有してもよい。例示のコネクター配列は、米国特許第６、６０９、０２９および６、７４１、８９２号に開示される。
【００１５】
例示のＩＰＧ１１０は、伝導性の、生体適合性材料、例えばチタンから形成され、ある場合には、電極としても機能する外部ケース１１６を含む。ＩＰＧ１１０は、通常、外部の（埋設されない）プログラマー１１８によってプログラムされるか、または調節される。外部プログラマー１１８は、適切な通信リンクを通じてＩＰＧ１１０に結合される。該通信リンクは、図では、患者の皮膚１２２を貫通する矢印１２０によって表される。適切なリンクとしては、高周波（ＲＦ）リンク、誘導性リンク、光学的リンク、および磁気リンクが挙げられるが、ただしこれらに限定されない。プログラマー１１８、または他の外部装置はさらに、ＩＰＧを操作するために、または、ＩＰＧ１１０内の電源、例えば、充電可能バッテリーを充電するため、電力をＩＰＧに送り込むためにも使用される。一旦、ＩＰＧ１１０がプログラムされ、その電源が充電されるか、またはその他のやり方で補給されたならば、ＩＰＧは、外部プログラマー１１８の存在を要することなくプログラム通りに機能してもよい。
【００１６】
例示の神経刺激システム１００の操作時に供給される刺激パターンに関しては、刺激エネルギーを受容するように選ばれる電極は、本明細書では「活性化」と呼ばれる。一方、刺激エネルギーを受容するように選ばれない電極は、本明細書では「非活性化」と呼ばれる。電気刺激は、その内の一方はＩＰＧケースであってもよい、二つ（またはそれ以上）の電極の間で行われ、その際、刺激に関連する電流は、陽極として構成される一つ以上の電極から組織を通って、陰極、または帰還電極として構成される一つ以上の電極に至る経路を持つ。帰還電極（単数または複数）は、リード１０２および１０４の上の電極１０６の内の一つ以上であってもよく、あるいは、ＩＰＧケース１１６であってもよい。刺激エネルギーは、単極または双極方式で組織に伝導されてもよい。単極刺激は、リード電極１０６の内の選ばれた一つが、ケース１１６と共に活性化される場合に見られるものである。双極刺激は、リード電極１０６の内の二つが活性化される場合に見られるものである。例えば、リード１０２上の電極Ｅ３が、リード１０４上の電極Ｅ１１が陰極として活性化されるのと同時に、陽極として活性化される。リード電極１０６の内の三つが活性化される場合、三重刺激が見られる。例えば、リード１０２上の電極Ｅ４およびＥ５が、リード１０４上の電極Ｅ１３が陰極として活性化されるのと同時に、陽極として活性化される。一般に、多極刺激は、多数のリード電極１０６が活性化される時に見られる。
【００１７】
図２に眼を転ずると、例示のＩＰＧ１１０は、複数の二重電流源１２４を持つ。各二重電流源１２４は、電流を負荷に「供給する」ための陽極（+Ｉ１、+Ｉ２、+Ｉ３、．．．、+Ｉケース）として機能することが可能な陽性電流源の外に、共通ノード１２６を通じて、負荷から電流を「吸い込む」ための陰極（−Ｉ１、−Ｉ２、−Ｉ３、．．．、−Ｉケース）として機能することが可能な電流源とを含む。負荷は、活性化電極１０６、ワイヤー（および、他の伝導要素）、および、連結電極を二重電流源１２４の共通ノード１２６に接続する結合コンデンサー（Ｃ１、Ｃ２、Ｃ３、．．．、Ｃケース）の間に存在する組織である。  
【００１８】
ＩＰＧプログラミングは、任意の特定の時点において、複数の電極、すなわち、リード電極１０６およびＩＰＧケース１１６の内のどれが供給源および吸い込み口として作動するのかを指定する。そのため、ＩＰＧ１１０には、指定の時点において、指定の振幅を有する電流を供給または吸い込むための陽極または陰極として選ばれた二重の供給源１２４を動作させる、プログラム可能な電流制御回路１２８が設けられる。図示の実施態様では、リード１０２の上に８個の電極１０６（Ｅ１−Ｅ８と表示）、リード１０４の上に８個の電極１０４（Ｅ９−Ｅ１６）、および、電極として機能することが可能なＩＰＧケース１１６（Ｅケースと表示）があり、かつ、１７個の個別に動作が可能な二重電流源１２４がある。通常、プログラマー１１８から受信され、保存される制御データに従って動作する制御回路１２８はまた、指定の時点で、選択された二重電流源１２４を切る。しかしながら、別態様として、電極よりも数の少ない二重電流源を用いてもよい。この場合、二重電流源の内の少なくともいくつかは、適切な多重化回路を通じて１個を超える電極に接続される。さらに別態様として、ＩＰＧケースのみが陽極として機能するように、あるいは、ＩＰＧケース１１６のみが陰極として機能するように構成されていてもよい。
【００１９】
さらに、制御回路１２８は、種々の測定機能を果たすために用いてもよい。例えば、制御回路１２８は、電極が活性化されるか、非活性化のままであるかを問わず、各二重電流源１２４の出力ノード１２６における電極電圧ＶＥ１、ＶＥ２、ＶＥ３、  ．．．、ＶＥ１６を測定するために用いてもよい。これによって、電極の電圧を測定することが可能となり、これは次にインピーダンス測定をやり易くする。
【００２０】
制御回路１２８の動作は、下記の実施例の背景において説明される。図２を参照すると、制御回路１２８は、時間Ｔ１において、リード電極Ｅ１およびＥ２に接続される二重電流源１２４における陽性電流源を同時にオン（または、動作可能と）するために使用される。また、リード電極Ｅ９に接続される二重電流源１２４の陰性電流源も、時間Ｔ１においてオンされる。他の全ての電流源は、時間Ｔ１においてオフ（または動作不能と）される。これによって、電極Ｅ１およびＥ２は、電極Ｅ９が陰極として活性化されるのと同時に、陽極として活性化される。電流+Ｉ１および+Ｉ２が、電流−Ｉ９が電極Ｅ９に吸い込まれるのと同時に、電極Ｅ１およびＥ２から供給される。電流+Ｉ１および+Ｉ２の振幅は、プログラムされる任意の値であってよいが、電流−Ｉ９の振幅は−（Ｉ１+Ｉ２）に等しくなければならない。すなわち、供給される電流は、吸い込まれる電流と等しい。期間Ｔ１後、制御回路１２８は、通常、第２期間Ｔ２において、電極Ｅ１、Ｅ２、およびＥ９の極性を、電極Ｅ１およびＥ２が陰極として活性化され、電極Ｅ９が陽極として活性化されるように切り替える。
【００２１】
このように制御回路１２８を操作すると、図３に示す２相性刺激パルス１３０が得られる。このパルスは、一方の極性を持つ第１相（期間Ｔ１）の直後、または短時間後に、反対極性を持つ第２相（期間Ｔ２）の出現によって特徴づけられる。刺激の際の電荷バランスを維持するために、第１相と関連する電荷は、第２相と関連する電荷と等しくなければならない。このバランスは、一般に、刺激行程の重要な成分と考えられている。ただし、これは本発明によって要求されてはいない。２相性刺激パルス１３０の電荷バランスは、第１相および第２相の振幅ばかりでなく、期間Ｔ１およびＴ２を実質的に等しくすることによって達成される。電荷バランスはまた、相持続と振幅の、別の組み合わせによっても実現することが可能である。例えば、第２相の振幅を、第１相の振幅の半分と等しくし、期間Ｔ２を期間Ｔ１の２倍に等しくしてもよい。
【００２２】
本発明による神経刺激システムはまた、図４に描かれるような、それぞれリード電極Ｅ１−Ｅ１６およびＩＰＧケース電極Ｅｃaｓeに接続される、複数の二重電圧源１２４′を含む、別様のＩＰＧ１１０′を用いてもよい。各二重電圧源１２４′は、オンされると、ノード１２６′および結合コンデンサー（Ｃ１、Ｃ２、Ｃ３、．．．、Ｃｃaｓe）を通じて連結電極に対しプログラムされた電圧を印加する。しかしながら、別態様として、電極よりも数の少ない二重電圧源を用いてもよい。この場合、二重電圧源の内の少なくともいくつかは、適切な多重化回路を通じて１個を超える電極に接続される。プログラム可能な電圧制御回路１２８′が、各二重電圧源１２４′を制御し、電極に印加される電圧の振幅、極性、および持続を指定する。
【００２３】
二重電圧源１２４′および制御回路１２８′は、図５に描かれる２相性刺激パルス１３０′を生成するように用いられてもよい。このパルスは、任意の二つの電極間に印加される、一方の極性を持つ第１相（期間Ｔ１）の直後、または短時間後に、反対極性を持つ第２相（期間Ｔ２）の出現によって特徴づけられる。２相性刺激パルス１３０’の電荷バランスは、第１相および第２相の振幅ばかりでなく、期間Ｔ１およびＴ２を等しくすることによって達成される。電荷バランスはまた、相持続と振幅の、別の組み合わせによっても実現することが可能である。例えば、第２相の振幅を、第１相の振幅の半分と等しくし、期間Ｔ２を期間Ｔ１の２倍に等しくしてもよい。制御回路１２８’は、電極が活性化されているか、否かを問わず、各電極へ流れ込む、または各電極から流れ出す電流の外、各非活性化二重電圧源１２４′の共通ノード１２６′に出現する電極電圧（Ｅｖ１−Ｅｖ１６）を測定するのに使用されてもよい。これらの電流および電圧測定値はさらにインピーダンス測定をやり易くする。
【００２４】
前述のＩＰＧおよび他のＩＰＧに関するさらなる詳細は、米国特許第６、５１６、２２７号、および米国特許出願公報２００３／０１３９７８１に見出される。また、図２および図４に描かれるブロックダイアグラムは、機能的ダイアグラムであること、および、本発明を、どのようなものであれ、ある特定のＩＰＧ回路に限定することを意図するものではないことに注意しなければならない。
【００２５】
ＩＩ.例示のリード移動検出
前述したように、本発明による神経刺激システムは、リード１０２および１０４の埋設後移動（すなわち、下部組織に対するリードの相対的移動）を検出することが可能であり、ある場合には、移動に関する情報を提供することが可能である。一般に、本発明の移動検出過程は、リード１０２および１０４の移動を検出するために、アーチファクト性の組織測定、例えば、組織のインピーダンス測定または誘発電位測定を用いる。測定から得られたデータは、ＩＰＧ制御回路１２８（または１２８′）、外部プログラマー１１８、それらの何らかの組み合わせ等によって保存され、処理されてもよい。さらに、アーチファクト性組織測定（例えば、組織インピーダンス測定および誘発電位測定）は、ある一つの電極の、別の電極に対する相対的移動を検出するのではなく、下部組織に対するリードの相対的移動を個別に検出することを可能とする。従って、本明細書に記載される過程は、単一リードを有する神経刺激システムにも、例えば、複数のリードを有する例示のシステム１００のような神経刺激システムにも用いられる。
【００２６】
先ず組織インピーダンスに眼をむけると、リードが移動したという表示を得るためには、リード電極１０６に近接する組織のインピーダンスが測定、監視される。リード電極１０６において測定される組織インピーダンスは、隣接リードの電極間に配される全ての組織ではなく、電極近傍の組織（すなわち、電極の約１  ｍｍ以内に存在する組織）に依存する。このような組織としては、脂肪、コラーゲン、骨、靭帯、脊髄の白質および灰白質、および硬膜が挙げられる。測定されるインピーダンスは、通常、リードの長さにそって電極から電極へまちまちに変動する。
【００２７】
先ず図６Ａを参照すると、リード１０２および１０４が、組織Ｔの中に適切に配置された後（「適切」な配置は患者によって変動する）、電極１０６それぞれ（個別にＥ１−Ｅ６と特定される）に隣接する組織のインピーダンスが測定される。これは種々のやり方で実行してよい。例えば、インピーダンスは、指定の電圧において、電極Ｅｃaｓeとして機能する（図２）ＩＰＧ外部ケース１１６から電流を供給し、電極Ｅ１−Ｅ６の内の選ばれた一つにおいて電流を吸い込むことによって定量してもよい。電圧降下の多くは、比較的小さな電極において起こること、リード電極１０６は、ＩＰＧ外部ケース１１６よりもはるかに小さいことが考えられるから、選択されたリード電極と外部ケースの間において測定されたインピーダンスは、主に、選択されたリード電極に隣接する組織のインピーダンスによると仮定することが可能である。インピーダンス測定のために使用される電流は、刺激をもたらすことがない、あるいは、ＩＰＧバッテリーの容量をほとんど消費することがない閾下の電流パルス（例えば、１  ｍＡを２０  μｓ）であることに注意しなければならない。この過程を、電極Ｅ１−Ｅ１６のそれぞれについて繰り返してもよい。それとは別に、これらの測定のために、ＩＰＧ外部ケースの代わりに、患者の体の中の、または体の上の任意の場所に縫いつけられた電極で、好ましくはリード電極よりも大きいものを用いてもよい。
【００２８】
インピーダンスは、リードが埋設され、神経刺激システムのＩＰＧ制御回路１２８（または１２８′）が、所望の治療効果を発揮するようにプログラムされた直後に測定することが好ましい。本明細書では「基礎インピーダンス測定値」と呼ばれる、このようなインピーダンス測定値は、電極Ｅ１−Ｅ１６における、単一組の測定値、または、電極対電極組み合わせにおいて平均化された、複数組の電極測定値から成る。リード１０２における各電極Ｅ１−Ｅ８およびリード１０４における各電極Ｅ９−Ｅ１６のインピーダンスの例示のプロットが、図７に実線で示される。基礎インピーダンス測定値も、後述するようにその傾向が追跡される。
【００２９】
インピーダンス測定値は、基礎インピーダンス測定値が定められた後も、様々な時点で、電極Ｅ１−Ｅ１６のそれぞれにおいて求められる。例えば、インピーダンス測定値は、定期検診時に採取してもよいし、あるいは、神経刺激システムが、基礎インピーダンス測定値が得られた時同システムが発揮したのと同じレベルの治療効果をもはや発揮しないと患者が表明したのを受け、それに対する反応として採取してもよい。このようなインピーダンス測定値を、本明細書では、「後続インピーダンス測定値」と呼ぶが、電極Ｅ１−Ｅ１６における、単一組の測定値、または、電極対電極組み合わせにおいて平均化された、複数組の電極測定値から成っていてもよい。測定値が変化したどうかを定めるために、後続インピーダンス測定値は基礎インピーダンス測定値と比較される。変化は、関連リードが移動したことを示す。何らかのリード移動が検出されたのであれば、そのリード移動の大きさおよび方向を定めるために、特徴比較分析、例えば、ピーク比較、勾配比較等を用いることも可能である。特徴比較分析を実行するために使用が可能な数学的技術の一つの例は、交差相関関数である。特徴比較分析を実行するために他の好適なアルゴリスムを用いてもよい。
【００３０】
基礎インピーダンス測定値は、基礎インピーダンス値が、時間と共に変化することがない非傾向的基礎インピーダンスと、基礎インピーダンス値が調節される傾向的基礎インピーダンス測定値を含む。後者においては、インピーダンス測定値において急激な変化をもたらす傾向のあるリード移動と比べ、時間と共にインピーダンス測定値をゆっくりと変化させる要因、例えば、組織壊死および線維症に対応して基礎インピーダンス値が調節される。傾向的基礎インピーダンス値は、下記の実施例に従って定められてもよい。ある後続インピーダンス測定値が、基礎インピーダンス測定値に実質的に等しい場合（例えば、特徴比較分析に基づいて）、インピーダンス測定値におけるその差は、リード移動によるものではないことを仮定してよい。次に、この実質的に等しい後続インピーダンス測定値を用いて、新規基礎インピーダンス測定値を定めてもよい。これは、元の基礎インピーダンス測定値を、この実質的に等しい後続インピーダンス測定値によって置換するか、または、この二つの値を平均化することによって実現される。それに加えて、またはそれとは別に、別の複数の後続インピーダンス測定値を時間と共に採取し、その移動平均を取って、傾向的基礎インピーダンス値を定めてもよい。
【００３１】
後続のインピーダンス測定時点におけるリード１０２および１０４の例示の位置を図６Ｂに示し、電極Ｅ１−Ｅ１６のそれぞれにおける後続インピーダンス測定値の対応プロットを図７Ｂに破線で示す。先ずリード１０２を参照すると、後続インピーダンス測定値のプロットは、基礎インピーダンス測定値のプロットとは明瞭に異なる。この差から、リード１０２は、該リードの近傍の組織に対して相対的に移動したことの表示が得られる。移動を確認することが可能な、さらに別の情報が、プロットを、または、各電極Ｅ１−Ｅ８における組織インピーダンス測定の前後のプロットを互いに比較することによって得られる。図示の例では、電極Ｅ２およびＥ３において採取された、後続組織インピーダンス測定値は、それぞれ、電極Ｅ４およびＥ５において採取された、基礎組織インピーダンス測定値と実質的に同じである。このことから、電極Ｅ２およびＥ３は、それぞれ、元々Ｅ４およびＥ５によって占められていた場所に移動したこと、および、リード１０２は、二つの電極１０６に対応する距離だけ移動したことが推定される。もしも例えば、４ｍｍの電極対電極間隔があるとするならば、リード１０２は８ｍｍ動いたと推定することが可能である。
【００３２】
次にリード１０４に眼を向けると、後続インピーダンス測定値のプロットは、基礎インピーダンス測定値のプロットと事実上同じである。このことから、リード１０４が、組織に対して相対的に動いていないという表示が得られる。
【００３３】
他の情報もまた、後続インピーダンス測定値と、基礎インピーダンス測定値との比較から得られる。例えば、ある場合には、基礎インピーダンス測定値の最低値、または、全ての基礎インピーダンス測定値の平均値を用いて、「正常インピーダンス値」を定めてもよい。もしも指定のインピーダンス値が、リード１０２が移動した後で増したならば、リード１０２とＩＰＧ外部ケース１１６との間の距離が増したことが推定される。同様に、もしも指定のインピーダンス値が、リード１０２が移動した後で減少したならば、リード１０２とＩＰＧ外部ケース１１６との間の距離が減少したことが推定される。
【００３４】
プログラミング、またはプログラミング改変前に必要な情報を定めるために、インピーダンス測定値を用いることも可能である。リード１０２および１０４のそれぞれの平均インピーダンス（すなわち、リード上の電極１０６において記録されるインピーダンス測定値それぞれの平均値）は、通常、ＩＰＧケース１１６（または１１６′）からもっとも大きな距離にあるリードにおいて比較的大きい。従って、ＩＰＧ１１０（または１１０′）に対する、リード１０２および１０４の相対的位置を決めるために、インピーダンス測定値の平均値を用いることも可能である。この相対的位置決定は、通常、プログラミング過程を支援するために、先ずリード１０２および１０４が患者の体内に埋設される時に行われるが、要すればそれ以外の時点で行われてもよい。
【００３５】
ＳＣＳ状況では、リード１０２および１０４は、例えば、胸髄領域から仙髄町域までの任意の場所に埋設されてよい。複数のリードの配置は、あるリードが一つの領域に、もう一つのリードが異なる領域に、両リードが別々の領域に納まるが、ＩＰＧケース１１６（または１１６′）からの距離に関しては互いに揃うように配置されてもよいし、あるいは、両リードは同じ領域に配置されるが、ＩＰＧケースからの距離に関しては互いに変動するように配置されてもよい。前述したように、最大のインピーダンス平均値を生成するリードは、ケースから最大の距離離れると推定される。例えば、もしもＩＰＧ１１０（または１１０′）が、臀部の上部領域に埋設され、あるリードが胸部区域に配置され、かつ、もう一つのリードが頸部区域に配置されたならば、比較的大きなインピーダンス平均値を生成するリードは、頸部区域にあることが推定される。もしも両方のリードが、同じ区域（例えば、頸部区域または胸部区域）内に配置されたとすると、インピーダンス平均値が実質的に等しいならば、それらのリードは互いに揃っていることが推定され、あるいは、もしもインピーダンス平均値が実質的に異なっているとすると、リードが変動しており、比較的大きな値を持つリードの方が、ＩＰＧ１１０（または１１０′）からより大きな距離離れることが推定される。
【００３６】
組織インピーダンス測定値はまた、基礎インピーダンス測定値が定められた後、事実上連続的に記録されてもよい。例えば、ＳＣＳプログラムにおける治療用パルスは、典型的には、持続が１  ｍｓで、５０Ｈｚの頻度で与えられる。従って、各治療パルスの間には１９  ｍｓあるので、この間に、インピーダンス測定目的のために、治療閾値以下のパルスを供給することが可能である。リードが移動したという表示をリアルタイムで得るために、連続記録される、後続インピーダンス測定値を、基礎インピーダンス測定値と比較してもよい。一旦このような決定がなされたならば、下記の第ＩＩＩ節で論じられる対応策のような補正策を、自動的に実施させるようにしてもよいし、あるいは、単純に、患者に、その状況について、彼ないし彼女が医師にその情報を連絡するように忠告してもよい。
【００３７】
誘発電位測定値（本明細書では、別に、「生理的誘発電位測定値」とも呼ばれる）は、一つの電極で神経に対して刺激パルスを与え、もう一つの電極で、発生した活動電位を測定することを含むが、これも、リードが、該リードの近傍の下部組織に対して移動したかどうかを決めるのに使用することが可能である。先ず図８Ａを参照すると、基礎誘発電位測定値が、埋設可能リード１０２および１０４が、適切に組織Ｔに隣接して配置された後に記録される（「適切な配置」は、患者に従って変動する）。リード１０２に関しては、刺激パルスが、電極Ｅ１によって隣接組織に供給され、それによって生ずる活動電位が、電圧に測定可能な変位を発生させる。この変位を、プログラム可能な制御器１２８は、測定（または、「読み取り」）可能な有限時間において電極Ｅ２において認める。この目的のために適切な刺激は、例えば、４  ｍＡ、２００  μｓである。この刺激は閾上で、制御不能ではないことが好ましい。この過程は一回実行してもよいし、多数回（例えば、１００回）実行して平均し、Ｅ１「基礎」刺激／Ｅ２誘発電位記録データが生成され、測定され、次に、例えば、図９Ａに描かれるようにプロットされてもよい（実線に注意されたい）。電極Ｅ１における刺激パルスによる誘発電位によってもたらされる電圧変位は次に、電極Ｅ３−Ｅ８において測定される（１回か、または多数回測定され平均される）。このようにしてさらに新たな基礎データおよびプロットが得られるようにしてもよい。さらに電極Ｅ２−Ｅ９を用いて刺激パルスを供給し、リード１０２の、一つを超える別の電極において誘発電位を測定してもよい。
【００３８】
リード１０４に眼を向けると、刺激パルスを、電極Ｅ９から隣接組織に供給し、得られた誘発電位を、電極Ｅ１０で測定してもよく、かつ、要すれば、電極Ｅ１１−Ｅ１６において継時的に測定してもよい。この場合も、この過程は、１回実行してもよいし、あるいは多数回実行して平均してもよい。Ｅ１０における基礎刺激Ｅ９誘発電位データが、図９Ｂにおいて実線で示される。さらに刺激パルスを供給するために電極Ｅ１０−Ｅ１６を用いてもよいし、誘発電位を、リード１０４の別の電極の内の１個以上において測定してもよい。
【００３９】
誘発電位は、新たな、または別の電極１０６において、前記に加えて／前記の代わりに測定してもよい。なぜなら、活動電位は、どの神経が刺激されるか、および、神経がどちらに伸びるかに応じて種々の方向に伝播するからである。例えば、誘発電位は、刺激リード上の電極の外に（または、該電極の代わりに）、非刺激リード上の電極１０６において測定される。さらに新たな基礎データおよびプロットを得るために、リード１０２の電極１０６における刺激パルスによる誘発電位によって引き起こされる電圧変位は、例えば、リード１０４の電極の内の１個以上においても測定が可能である。同様に、さらに新たな基礎データおよびプロットを得るために、リード１０４の電極１０６における刺激パルスによる誘発電位によって引き起こされる電圧変位は、リード１０２の電極の内の１個以上においても測定が可能である（１回、または多数回測定され平均される）。さらに、刺激電極において誘発された電位によって引き起こされる電圧変位を測定することが望ましい場合もある。例えば、電極Ｅ１上の刺激パルスによる誘発電位によって引き起こされる電圧変位を電極Ｅ１において測定することが可能であり、かつ、電極Ｅ９上の刺激パルスによる誘発電位によって引き起こされる電圧変位を電極Ｅ９において測定することも可能である。
【００４０】
誘発電位測定も、リード１０２および１０４のそれぞれについて基礎の誘発電位測定値が定められた後、様々な時点で記録してもよい。例えば、誘発電位測定値は、定期検診時に採取してもよいし、あるいは、神経刺激システムが、基礎測定値が得られた時同システムが発揮したのと同じレベルの治療効果をもはや発揮しないと患者が表明したのを受け、それに対する反応として採取してもよい。基礎測定の間に組織に供給されたものと同じ刺激パルス（例えば、４ｍＡ、２００μｓ）、または、大雑把に等価的強度の刺激作用（患者によって特定されるままの）をもたらすパルスが、同じ電極から供給され、同じ１個の電極（または、複数の電極）において電圧変位が、１回、または複数回測定され平均され、このようにして、後続誘発電位データが生成、測定、およびプロットされるようにする。
【００４１】
例えば、リード１０２の移動があったかどうかを定めるために、後続刺激Ｅ１/誘発電位Ｅ２記録データが生成、測定、かつプロットされ、ならびに、リード１０４の移動があったかどうかを定めるために、後続刺激Ｅ９・誘発電位Ｅ１０記録データが生成、測定、かつプロットされる。もしもデータが同じ誘発電位プロットを生成するならば、あるいは、プロットが、同じプロットのある受容可能な変位範囲内に納まるならば、リードは動いていない（または、受容可能なほど少量しか動いていない）と仮定することが可能である。受容できない変位とは、例えば、基礎誘発電位データからの、急激な、または著明な短期の変化と定義されてもよい。壊死または線維症のような要因による誘発電位データの変化は、比較的ゆっくりと変化するようであるが、一方、移動は、データの突然の変化をより招き易い。従って、基礎誘発電位測定値は、基礎誘発電位測定値が、時間と共に変化することがない非傾向的基礎誘発電位測定値と、基礎誘発電位値が調節される傾向的基礎誘発電位測定値を含む。後者においては、組織壊死および線維症の要因に対応して基礎誘発電位値が調節される。傾向的基礎誘発電位値を定めるために、後続誘発電位測定を、インピーダンス測定値に関連して前述したやり方に従って用いてもよい。
【００４２】
他方でもしも、後続誘発電位データが、リードの一方または両方において異なる場合（例えば、基礎誘発電位データから外れる、急激な、または著明な短期の変化を示す場合）、あるいは、もしも、誘発電位が一方または両方の電極において測定された電極において、測定可能な誘発電位が見られない場合、その異なるデータに関連するリード（または複数のリード）は動いたと仮定することが可能である。例えば、リード１０２が動いたと仮定した場合、その仮定は、リード１０２における電極Ｅ３−Ｅ８における誘発電位を測定することによってチェックすることが可能である（１回、または多数回測定し、平均する）。もしも電極Ｅ３−Ｅ８における誘発電位に関連する後続プロットが、基礎プロットと同じであるか、または、基礎プロットからの、ある受容可能な変位内に納まるのであれば、リード１０２は動いていないこと、および、電極Ｅ２に状態の変化があったことを仮定してよい。この仮定も、リード１０２における電極Ｅ１、および／またはリード１０４における電極Ｅ９−Ｅ１６における誘発電位を−もしもこれらの電極が、電極Ｅ１における刺激に対して採取される基礎測定値のために使用されるとしたならば−測定することによってチェックすることが可能である（１回、または多数回測定し、平均する）。この場合も、もしも後続プロットが、基礎プロットと同じであるか、または、基礎プロットからの、ある受容可能な変位内に納まるのであれば、リード１０２は動いていないことを仮定してよい。電極Ｅ２に隣接する組織については、リードの移動によらない誘発電位の差は、瘢痕形成、壊死、または脂肪蓄積のせいである可能性がある。それとは別に、電極Ｅ２に対する損傷の可能性もある。
【００４３】
リード１０４に関しても同じ確認手順を実行してよい。具体的に言うと、リード１０４の電極Ｅ９における刺激によって得られる誘発電位を、電極Ｅ１１−Ｅ１６において測定してもよい。それに加えて、またはそれとは別に、誘発電位が、基礎測定手順の一部であるなら、誘発電位は、リード１０４の電極Ｅ９、および／またはリード１０２の電極Ｅ１−Ｅ８において測定されてよい。
【００４４】
図８Ｂ、９Ａおよび９Ｂを参照すると、リード１０２が、１個の電極に相当する距離移動し、従って、後続刺激Ｅ１／誘発電位Ｅ２記録データが異なっている。一方、リード１０４は動いておらず、後続Ｅ９刺激Ｅ１０誘発電位データはほぼ同じである。
【００４５】
誘発電位はまた、移動の方向および大きさを決めるのに使用することも可能である。例えば、どのような移動であれ、その大きさと方向を決めるのに特徴比較分析（例えば、交差相関技術を用いて実行される）を用いることが可能である。この場合、刺激エネルギーは、移動したリード上の元の刺激電極とは別の電極に個別に与えられ、誘発電位が、その別の電極において測定される。この目的は、基礎値測定に使用された電極によって生成されたものと同じ誘発電位データを生成する電極を特定することである。もしもそのような電極が特定されたならば、それが、現在は、基礎データを生成するのに使用された電極の位置を占めていると仮定してよい。リード１０２の移動に関しては、図８Ｂおよび９Ａに示すように、Ｅ２刺激／Ｅ３誘発電位記録プロットは、基礎の、Ｅ１刺激／Ｅ２誘発電位記録プロットに一致する（図９）。なぜなら、電極Ｅ２およびＥ３は、それぞれ、電極Ｅ１およびＥ２によって以前に占められていた位置に配置されているからである。
【００４６】
前述の、二つの方法を要約したフローチャートが図１０に示される。ステップ２００において、基礎のアーチファクト組織データ、例えば、組織インピーダンスデータまたは誘発電位データを、複数のリードの内の一つによって測定する。次に、ステップ２１０において、アーチファクト組織データが、同じリードによって１回以上の後続時点において測定される。最後に、ステップ２２０において、後続アーチファクト組織データを、基礎アーチファクトデータ（非傾向的基礎アーチファクトデータ、および／または傾向的基礎アーチファクトデータを含んでもよい）と比較し、該リードが動いたかどうかを決定する。この過程を、各リード毎に繰り返す。
【００４７】
ＩＩＩ．例示の補正策
神経刺激システム（例えば、ＳＣＳシステム）の一つ以上のリードが動いたと判断された後取るべき補正行動は、大きく二つのカテゴリーに分けられる。すなわち、（１）外科的除去または配置改変、および（２）プログラミンの改定である。外科的除去は、通常、一つ以上のリードが、有効な代替配置を改めてプログラムで選択することができないほど遠くに移動したと判断された場合、採用される。例えば、治療処方が、電極がリード１０２の電極Ｅ２の基礎位置に配置されることを要求する場合（図６Ａ）、リード１０２が、図６Ｂに示す位置に移動したならば該治療処方を実行することは不可能となる。なぜなら、その位置にはもはや全く電極が存在しないからである。一つ以上の電極が損傷されるか、不能となった場合も、外科的除去が必要されることがある。
【００４８】
プログラミング改定に関しては、各リードの実際の移動（または移動の欠如）に関する個別の情報が得られることによって、プログラム改定の任務を負わされた実体（例えば、医師、または神経刺激システム）が、単に、リード同士の相対的位置が変わったのだから、リードの内の少なくとも一つが移動したことを知らされる場合と比べると、プログラミング改定ははるかに効率的に進行する。例えば、図６Ａに示されるリード１０２および１０４が、リード１０２の電極Ｅ４、Ｅ５、およびＥ６からの供給刺激パルス、およびリード１０４の電極Ｅ１３、Ｅ１４への吸い込み刺激パルスを含む治療処方に用いられると仮定する。リード１０２が図６Ｂに示す位置に移動し、本発明によって、リード１０２のみが移動したこと、リード１０２は、２個の電極に相当する距離だけＩＰＧ１１０の方に向かって移動したことが決定された後、治療処方は、単に、電極Ｅ２、Ｅ３、およびＥ４によって、それぞれ、電極Ｅ４、Ｅ５、およびＥ６を置換することによってプログラム改定される。
【００４９】
プログラム改定は、自動的に実行されてもよいし、あるいは臨床家によって実行されてもよい。自動的プログラム改定は、リード移動が連続的に監視される場合は特に有用であるが、真の意味で自動的である（すなわち、患者が知らない内に行われる）ことも可能である。それとは別に、ＩＰＧ１１０は、少なくとも一つのリードが移動したことを示す表示を患者に提供し、かつ、自動的プログラム改定刺激処方を試行する選択肢を取るか、または、単にリード移動を臨床家に報告するにとどめるか、の表示を患者に提供するようにすることも可能である。臨床家によるプログラム改定は、それが、ＩＰＧ１１０からの告知に対する反応であれ、または、患者の苦情に対する反応であれ、通常、外部プログラマー１１８に、ＩＰＧ１１０からのリード移動データに基づいて治療処方を改定させる（または、単に改定を示唆する）ことを含む。それとは別に、リード配置改変は、臨床家がプログラム改定の際に検閲可能とするように記録される。こうすることによって、治療処方のプログラム改定に要する臨床家の時間量（および出費）が低減されるばかりでなく、高価なＸ線透視過程が必要とされる確率も低減される。
【００５０】
本明細書に開示される発明が、好ましい実施態様に関連づけられて上に記載されたわけであるが、前述の好ましい実施態様に対しては、数多くの改変および／または追加が、当業者であればすぐに明らかであろう。例示として挙げたのであって、それに限定されるものではないが、本発明は、少なくとも一つの神経刺激リードを含む神経刺激システムを含む。本発明の範囲は、上記のような改変および／または追加の全てに広がること、および本発明の範囲は、ただ頭書の特許請求の範囲によってのみ限定されることが意図される。
【図面の簡単な説明】
【００５１】
【図１】図１は、本発明の一つの実施態様による神経刺激システムの側面図である。
【図１Ａ】図１Ａは、本発明の一つの実施態様による埋設可能な、パルス発生器の端面図である。
【図２】図２は、本発明の一つの実施態様による埋設可能な、パルス発生器の機能的ブロックダイアグラムである。
【図３】図３は、図２に描かれる埋設可能パルス発生器によって生成される刺激パルスの描画である。
【図４】図４は、本発明の一つの実施態様による埋設可能パルス発生器の機能的ブロックダイアグラムである。
【図５】図５は、図４に描かれる埋設可能パルス発生器によって生成される刺激パルスの描画である。
【図６】図６Ａ−６Ｂは、基礎位置および後続位置における例示の埋設可能リードを示す平面図である。
【図７】図７は、埋設可能リードが図６Ａおよび６Ｂにおいて描かれる位置にある時に得られるインピーダンス測定値を示すグラフである。
【図８】図８Ａ−８Ｂは、基礎位置および後続位置における例示の埋設可能リードを示す平面図である。
【図９Ａ】図９Ａは、埋設可能リードの内の一つが図８Ａおよび８Ｂ描かれる位置にある時、該リードにおいて記録される誘発電位測定値を示すグラフである。
【図９Ｂ】図９Ｂは、埋設可能リードの内の他方が図８Ａおよび８Ｂ描かれる位置にある時、該リードにおいて記録される誘発電位測定値を示すグラフである。
【図１０】図１０は、本発明による種々の過程を要約するフローチャートである。
【図１】
2008534168.tif 000003
【図１Ａ】
2008534168.tif 000004
【図２】
2008534168.tif 000005
【図３】
2008534168.tif 000006
【図４】
2008534168.tif 000007
【図５】
2008534168.tif 000008
【図６】
2008534168.tif 000009
【図７】
2008534168.tif 000010
【図８】
2008534168.tif 000011
【図９Ａ】
2008534168.tif 000012
【図９Ｂ】
2008534168.tif 000013
【図１０】
2008534168.tif 000014
【国際調査報告】
2008534168.tif 000015
2008534168.tif 000016
2008534168.tif 000017